(57)【要約】【課題】シートに存在する特異部を有効に利用し、全体としてのシートの消費量を抑制する。【解決手段】連続シートにスケジュールに従って複数の画像のプリントおよびプリントヘッドの保守を行うプリント方法であって、前記連続シートに存在する特異部の位置と程度に関する情報を取得し、取得された前記情報に基づいて、前記特異部が存在する領域を用いて前記保守を行う。【選択図】図４
2014028441.tif 000002
【特許請求の範囲】
【請求項１】
連続シートにスケジュールに従って複数の画像のプリントおよびプリントヘッドの保守を行うプリント方法であって、
前記連続シートに存在する特異部の位置と程度に関する情報を取得し、
取得された前記情報に基づいて、前記特異部が存在する領域を用いて前記保守を行うことを特徴とするプリント方法。
【請求項２】
前記特異部の程度に応じて実行する前記保守の種類を異ならせることを特徴とする、請求項１に記載のプリント方法。
【請求項３】
前記保守の種類は、前記プリントヘッドの予備吐出、および不吐出監視のうちの少なくともの一方を含むことを特徴とする、請求項２に記載のプリント方法。
【請求項４】
前記程度が第１状態の場合に前記予備吐出を行い、前記程度が前記第１状態よりもプリントに与える影響が小さい第２状態の場合に前記不吐出監視を行うことを特徴とする、請求項３に記載のプリント方法。
【請求項５】
前記程度が前記第１状態よりもプリントに与える影響が大きい第３状態の場合には、前記保守を行わないことを特徴とする、請求項４に記載のプリント方法。
【請求項６】
前記シートに記録されているマークをセンサで読み取って前記情報を取得することを特徴とする、請求項１から５のいずれか１項に記載のプリント方法。
【請求項７】
前記特異部は、シートに存在する汚れ、穴、キズ、折れ、破れ、異物混入、変色、厚み不均一の部分、シートの繋ぎ部の少なくとも１つを含むことを特徴とする、請求項１から６のいずれか１項に記載のプリント方法。
【請求項８】
請求項１から７のいずれかに記載のプリント方法に用いられる連続シートであって、
連続シートに存在する特異部の位置と程度に関する情報が記録されていることを特徴とするプリント用シート。
【発明の詳細な説明】
【技術分野】
【０００１】
本発明は連続シートにプリントを行うプリント方法に関する。
【背景技術】
【０００２】
シートに画像をプリントするプリント装置において、シートにおける部分的に特性が異なる特異部（シートとシートとの繋ぎ部（スプライト部）を含む）は他の領域とその特性が異なり、画像を精度よくプリントすることができない。そのため、特異部への画像のプリントを避けることが知られている。
【０００３】
特許文献１に開示されているプリント装置は、特異部を検出した場合に、特異部およびその前後の一定領域を画像プリント不可領域とする。そして、その領域と、その前に画像がプリントされる領域と、の間の余白の長さを検出し、その長さとそれ以降にプリントされる画像の大きさとの関係に応じて、その余白にプリントする画像を選択している。
【先行技術文献】
【特許文献】
【０００４】
【特許文献１】特許第４２７８８８５号明細書
【発明の概要】
【発明が解決しようとする課題】
【０００５】
特許文献１のプリント装置は、余白内にプリントできないサイズの画像が続く場合には、その余白を特異部と同様に使用することができない。そのため、それらの余白、および特異部を含む部分のシートは使用されず、破棄されることになる。
【０００６】
本発明は上記課題に鑑みなされたものである。その目的は、シートに存在する特異部を有効に利用し、全体としてのシートの消費量を抑制することができるプリント方法およびこれに用いられるプリント用シートを提供することにある。
【課題を解決するための手段】
【０００７】
上記課題を解決するために、本発明に係るプリント方法は、連続シートにスケジュールに従って複数の画像のプリントおよびプリントヘッドの保守を行うプリント方法であって、前記連続シートに存在する特異部の位置と程度に関する情報を取得し、取得された前記情報に基づいて、前記特異部が存在する領域を用いて前記保守を行うことを特徴とする。
【発明の効果】
【０００８】
本発明によれば、シートに特異部があったとしても、その特異部が存在する領域を用いて、特異部の状態に応じた適切なプリントヘッド保守を行うことができる。そのため、シートに存在する特異部を有効に利用し、全体としてのシートの消費量を抑制することができる。
【図面の簡単な説明】
【０００９】
【図１】プリント装置の内部構成を示す断面の概略図である。
【図２】プリント装置の制御構成を示すブロック図である。
【図３】（ａ）〜（ｇ）はシートにおける特異部の種類を説明するための図である。
【図４】プリント動作を示すフローチャートである。
【図５】（ａ）〜（ｄ）はプリントされたシートを示す図である。
【発明を実施するための形態】
【００１０】
以下、インクジェット方式を用いたプリント装置の実施形態を説明する。本例のプリント装置は、長尺で連続したプリント用シート（搬送方向において繰り返しのプリント単位（１ページあるいは単位画像という）の長さよりも長い連続シート）を使用し、片面プリントおよび両面プリントの両方に対応した高速ラインプリンタである。例えば、プリントラボ等における大量の枚数のプリントの分野に適している。
【００１１】
なお、本明細書では、１つのプリント単位（１ページ）の領域内に複数の小さな画像や文字や空白が混在していたとしても、当該領域内に含まれるものをまとめて１つの単位画像という。つまり、単位画像とは、連続したシートに複数のページを順次プリントする場合の１つのプリント単位（１ページ）を意味する。
【００１２】
なお、単位画像といわずに単に画像という場合もある。プリントする画像サイズに応じて単位画像の長さは異なる。例えばＬ版サイズの写真ではシート搬送方向の長さは１３５ｍｍ、Ａ４サイズではシート搬送方向の長さは２９７ｍｍとなる。本発明はプリンタ、プリンタ複合機、複写機、ファクシミリ装置、各種デバイスの製造装置など、インクを用いて乾燥が必要なプリント装置に広く適用可能である。
【００１３】
図１はプリント装置２０の内部構成を示す断面の概略図である。本実施形態のプリント装置２０は、ロール状に巻かれたシートを用いて、シートの第１面と第１面の背面側の第２面とに両面プリントすることが可能となっている。プリント装置２０は、シート供給部１、デカール部２、斜行矯正部３、プリント部４、検査部５、カッタ部６、情報プリント部７、乾燥部８、反転部９、排出搬送部１０、ソータ部１１、排出部１２、および制御部１３の各ユニットを備える。排出部１２はソータ部１１を含んで排出処理を行なうユニットを指す。
【００１４】
シートは、図中の実線で示したシート搬送経路に沿ってローラ対やベルトからなる搬送機構で搬送され、各ユニットで処理がなされる。なお、シート搬送経路の任意の位置において、シート供給部１に近い側を「上流」、その逆側を「下流」という。
【００１５】
シート供給部１は、ロール状に巻かれた連続シートを保持して供給するためのユニットである。シート供給部１は、２つのロールＲ１、Ｒ２を収納することが可能であり、択一的にシートを引き出して供給する構成となっている。なお、収納可能なロールは２つであることに限定はされず、１つ、あるいは３つ以上を収納するものであってもよい。
【００１６】
また、連続したシートであれば、ロール状に巻かれたものに限らない。例えば、単位長さごとのミシン目が付与された連続したシートがミシン目ごとに折り返されて積層され、シート供給部１に収納されるものでもよい。
【００１７】
ここで使用する連続シートは、テープや糊で結合されたスプライス部（繋ぎ部）を１箇所以上且つランダムな位置に有するものとする。スプライス部はその厚みが他の領域とは異なり、画像のプリントに適さない領域である。本実施形態においては、シートの特性が部分的に他の領域と異なる領域を、特異部とする。この特異部にはスプライス部が含まれる。本実施形態において、スプライス部以外の特異部とは、例えば、汚れ、穴、キズ、折れ、破れ、異物混入、変色、厚みの不均一などがある部分をいう。
【００１８】
本実施形態においては、特異部を、その特性が異なる程度（レベル）によって、３つのクラスに分類し、このクラスごとに特異部の用途を異ならせる。
【００１９】
特異部は画像データに基づく画像のプリントには適していないので、本実施形態においては、特異部をセンサ１７（検知部）により読み取る。そして、特異部の状態に応じて、画像データに基づく画像のプリント以外（例えば、カットマークパターンのプリントなど）に特異部を使用できる場合は使用する。そのため、シート供給部１のシートの出口近傍には、センサ１７が設けられている。このセンサ１７がシート供給部１から供給されるシートの特異部の検出を行う。
【００２０】
なお、本実施形態においてセンサ１７はシート供給部１のシートの出口近傍に配置されているが、センサ１７の配置はこれに限られず、センサ１７はシート供給部１とプリント部４との間に配置されていればよい。
【００２１】
デカール部２は、シート供給部１から供給されたシートのカール（反り）を軽減させるユニットである。デカール部２では、１つの駆動ローラに対して２つのピンチローラを用いて、カールの逆向きの反りを与えるようにシートを湾曲させて通過させることでデカール力を作用させてカールを軽減させる。
【００２２】
斜行矯正部３は、デカール部２を通過したシートの斜行（本来の進行方向に対する傾き）を矯正するユニットである。基準となる側のシート端部をガイド部材に押し付けることにより、シートの斜行が矯正される。斜行矯正部３では、搬送されるシートにループが形成される。
【００２３】
プリント部４は、搬送されるシートに対してプリントヘッド１４を用いてプリント処理を行なって画像を形成するシート処理部である。つまり、プリント部４はシートに所定の処理を行なう処理部である。プリント部４は、シートを搬送する複数の搬送ローラも備えている。プリントヘッド１４は、使用が想定されるシートの最大幅をカバーする範囲でインクジェット方式のノズル列が形成されたライン型プリントヘッドを有する。プリントヘッド１４は、複数のプリントヘッドが搬送方向に沿って平行に並べられている。
【００２４】
本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つのプリントヘッドを有する。なお、色数およびプリントヘッドの数は７つには限定はされない。インクジェット方式は、発熱素子を用いた方式、ピエゾ素子を用いた方式、静電素子を用いた方式、ＭＥＭＳ素子を用いた方式等を採用することができる。各色のインクは、インクタンクからそれぞれインクチューブを介してプリントヘッド１４に供給される。
【００２５】
検査部５は、プリント部４でシートにプリントされた検査パターンや画像をスキャナによって光学的に読み取って、プリントヘッドのノズルの状態、シート搬送状態、画像位置等を検査して画像が正しくプリントされたかを判定するためのユニットである。スキャナはＣＣＤイメージセンサやＣＭＯＳイメージセンサを有する。検査部５において画像が適切にプリントされなかったと判断された場合は、後述する操作部１５またはホスト装置１６に対して、その旨を通知して、必要に応じて再度プリントするように制御する。
【００２６】
カッタ部６は、プリント後のシートを所定長さに切断する機械的なカッタ１８を備えたユニットである。カッタ部６はさらに、シート上にプリントされているカットパターンを光学的に検出するカットパターンセンサ２２とシートを次工程に送り出すための複数の搬送ローラとを備えている。カッタ部６の近傍にはゴミ箱１９が設けられている。ゴミ箱１９は、カッタ部６で切り落とされゴミとして排出される小さなシート片を収容するものである。カッタ部６には、切断したシートをゴミ箱１９に排出するか、本来の搬送経路に移行させるかの振り分け機構が設けられている。
【００２７】
情報プリント部７は、切断されたシートの非プリント領域にプリントのシリアル番号や日付などのプリント情報（固有の情報）をプリントするユニットである。プリントはインクジェット方式、熱転写方式などで文字やコードをプリントすることで行なわれる。情報プリント部７の上流側且つカッタ部６の下流側には、切断されたシートの先端エッジを検知するセンサ２１が設けられている。センサ２１の検知タイミングに基づいて情報プリント部７で情報をプリントするタイミングが制御される。
【００２８】
乾燥部８は、プリント部４でプリントされたシートを加熱して、シートに付与されたインクを短時間に乾燥させるためのユニットである。乾燥部８の内部では通過するシートに対して少なくとも下面側から熱風を付与してインク付与面を乾燥させる。なお、乾燥方式は熱風を付与する方式に限らず、電磁波（紫外線や赤外線など）をシート表面に照射する方式であってもよい。
【００２９】
以上のシート供給部１から乾燥部８までのシート搬送経路を第１経路と称する。第１経路はプリント部４から乾燥部８までの間にＵターンする形状を有し、カッタ部６はＵターンの形状の途中に位置している。
【００３０】
反転部９は両面プリントを行う際に表面プリントが終了した連続シートを一時的に巻き取って表裏反転させるためのユニットである。反転部９は、乾燥部８を通過したシートを再びプリント部４に供給するための、乾燥部８からデカール部２を経てプリント部４に到る経路（ループパス）（第２経路と称する）の途中に設けられている。
【００３１】
反転部９はシートを巻き取るために回転する巻取回転体（ドラム）を備えている。表面のプリントが済んで切断されていない連続シートは巻取回転体に一時的に巻き取られる。巻き取りが終わったら、巻取回転体が逆回転して巻き取り済みシートは巻き取りのときとは逆順に送り出されてデカール部２に供給され、プリント部４に送られる。このシートは表裏反転しているのでプリント部４で裏面にプリントを行うことができる。シート供給部１を第１のシート供給部とすると、反転部９は第２のシート供給部とみなすことができる。両面プリントのより具体的な動作については後述する。
【００３２】
排出搬送部１０は、カッタ部６で切断され乾燥部８で乾燥させられたシートを搬送して、ソータ部１１までシートを受け渡すためのユニットである。排出搬送部１０は、反転部９が設けられた第２経路とは異なる経路（第３経路と称する）に設けられている。第１経路から搬送されてきたシートを第２経路または第３経路のいずれか一方に選択的に導くために、経路の分岐位置（「排出分岐位置」と呼ぶ。）には可動フラッパを有する経路切り替え機構が設けられている。
【００３３】
ソータ部１１を含む排出部１２は、シート供給部１の側部で且つ第３経路の末端に設けられている。ソータ部１１は必要に応じてプリント済みシートをグループ毎に仕分けるためのユニットである。仕分けられたシートは排出部１２が有する複数のトレイに排出される。このように、第３経路はシート供給部１の下方を通過して、シート供給部１を挟んでプリント部４や乾燥部８とは逆側にシートを排出するレイアウトとなっている。
【００３４】
以上のように、シート供給部１から乾燥部８までが第１経路に順に設けられている。乾燥部８の先は第２経路または第３経路に分岐され、第２経路は途中に反転部９が設けられ反転部９の先は第１経路に合流する。第３経路の末端には排出部１２が設けられている。
【００３５】
制御部１３は、プリント装置２０全体の各部の制御を司るユニットである。制御部１３は、ＣＰＵ、記憶装置、各種制御部を備えたコントローラ、外部インターフェース、およびユーザが入出力を行なう操作部１５を有する。プリント装置２０の動作は、コントローラまたはコントローラに外部インターフェースを介して接続されるホストコンピュータ等のホスト装置１６からの指令に基づいて制御される。
【００３６】
本実施形態において制御部１３は、センサ１７にて読み取った特異部マークを判定し、この判定結果に基づき画像のプリントを制限する。すなわち、制御部１３は、特異部の特性の異なる程度に応じて、画像データに基づく画像をプリントするためのインク以外のインク、つまり、プリントヘッドの保守のために画像のプリントに寄与しないインクを特異部に対して付与可能に、プリント部４を制御する。
【００３７】
さらに、制御部１３は、特異部の特性の程度に応じて、特異部に対するプリントヘッド保守のための付与パターンを異ならせる。プリントヘッド保守には、予備吐出と不吐出監視の２種類がある。本実施形態では、特異部の程度（状態）に応じて実行する保守の種類を異ならせる。その詳細は後述する。
【００３８】
図２は制御部１３の構成を示すブロック図である。制御部１３に含まれるコントローラ（破線で囲んだ範囲）は、ＣＰＵ２０１、ＲＯＭ２０２、ＲＡＭ２０３、ＨＤＤ２０４、画像処理部２０７、エンジン制御部２０８、個別ユニット制御部２０９から構成される。
【００３９】
ＣＰＵ２０１（中央演算処理部）はプリント装置２０の各ユニットの動作を統合的に制御する。ＲＯＭ２０２はＣＰＵ２０１が実行するためのプログラムやプリント装置２０の各種動作に必要な固定データを格納する。ＲＡＭ２０３はＣＰＵ２０１のワークエリアとして用いられたり、種々の受信データの一時格納領域として用いられたり、各種設定データを記憶させたりする。ＨＤＤ２０４（ハードディスク）はＣＰＵ２０１が実行するためのプログラム、プリントデータ、プリント装置２０の各種動作に必要な設定情報を記憶読出することが可能である。
【００４０】
操作部１５はユーザとの入出力インターフェースであり、ハードキーやタッチパネルの入力部、および情報を提示するディスプレイや音声発生器などの出力部を含む。
【００４１】
高速なデータ処理が要求されるユニットについては専用の処理部が設けられている。画像処理部２０７は、プリント装置２０で扱うプリントデータの画像処理を行う。入力された画像データの色空間（たとえばＹＣｂＣｒ）を、標準的なＲＧＢ色空間（たとえばｓＲＧＢ）に変換する。また、画像データに対し解像度変換、画像解析、画像補正等、様々な画像処理が必要に応じて施される。これらの画像処理によって得られたプリントデータは、ＲＡＭ２０３またはＨＤＤ２０４に格納される。
【００４２】
エンジン制御部２０８は、ＣＰＵ２０１等から受信した制御コマンドに基づいてプリントデータに応じてプリント部４のプリントヘッド１４の駆動制御を行なう。エンジン制御部２０８は更にプリント装置２０内の各部の搬送機構の制御も行なう。
【００４３】
個別ユニット制御部２０９は、シート供給部１、デカール部２、斜行矯正部３、検査部５、カッタ部６、情報プリント部７、乾燥部８、反転部９、排出搬送部１０、ソータ部１１、排出部１２の各ユニットを個別に制御するためのサブコントローラである。ＣＰＵ２０１による指令に基づいて個別ユニット制御部２０９によりそれぞれのユニットの動作が制御される。外部インターフェース２０５は、コントローラをホスト装置１６に接続するためのインターフェース（Ｉ／Ｆ）であり、ローカルＩ／ＦまたはネットワークＩ／Ｆである。以上の構成要素はシステムバス２１０によって接続されている。
【００４４】
ホスト装置１６は、プリント装置２０にプリントを行わせるための画像データの供給源となる装置である。ホスト装置１６は、汎用または専用のコンピュータであってもよいし、画像リーダ部を有する画像キャプチャ、デジタルカメラ、フォトストレージ等の専用の画像機器であってもよい。
【００４５】
ホスト装置１６がコンピュータの場合は、コンピュータに含まれる記憶装置にＯＳ、画像データを生成するアプリケーションソフトウェア、プリント装置用のプリンタドライバがインストールされる。なお、以上の処理の全てをソフトウェアで実現することは必須ではなく、一部または全部をハードウェアによって実現するようにしてもよい。
【００４６】
次に、プリント時の基本動作について説明する。プリントは、片面プリントモードと両面プリントモードとでは動作が異なるので、それぞれについて説明する。
【００４７】
片面プリントモードでは、シート供給部１から供給され、デカール部２、斜行矯正部３でそれぞれ処理されたシートは、プリント部４において表面（第１面）のプリントがなされる。長尺の連続シートに対して、搬送方向における所定の単位長さの画像（単位画像）を順次プリントして複数の画像を並べて形成していく。プリントされたシートは検査部５を経て、カッタ部６において単位画像ごとに切断される。
【００４８】
切断されたカットシートは、必要に応じて情報プリント部７でシートの裏面にプリント情報がプリントされる。そして、カットシートは１枚ずつ乾燥部８に搬送され乾燥が行なわれる。その後、排出搬送部１０を経由して、ソータ部１１の排出部１２に順次排出され積載されていく。一方、最後の単位画像の切断でプリント部４の側に残されたシートはシート供給部１に送り戻されて、シートがロールＲ１またはＲ２に巻き取られる。このように、片面プリントにおいては、シートは第１経路と第３経路を通過して処理され、第２経路は通過しない。
【００４９】
一方、両面プリントモードでは、表面（第１面）プリントシーケンスに次いで裏面（第２面）プリントシーケンスを実行する。最初の表面プリントシーケンスでは、シート供給部１から検査部５までの各ユニットでの動作は上述の片面プリントの動作と同じである。カッタ部６では切断動作は行わずに、連続シートのまま乾燥部８に搬送される。乾燥部８での表面のインク乾燥の後、排出搬送部１０の側の経路（第３経路）ではなく、反転部９の側の経路（第２経路）にシートが導かれる。
【００５０】
第２経路においてシートは、順方向（図面では反時計回り方向）に回転する反転部９の巻取回転体に巻き取られていく。プリント部４において、予定された表面のプリントが全て終了すると、カッタ部６にて連続シートのプリント領域の後端が切断される。切断位置を基準に、搬送方向下流側（プリントされた側）の連続シートは乾燥部８を経て反転部９でシート後端（切断位置）まで全て巻き取られる。
【００５１】
一方、反転部９での巻取りと同時に、切断位置よりも搬送方向上流側（プリント部４の側）に残された連続シートは、シート先端（切断位置）がデカール部２に残らないように、シート供給部１に送り戻されて、シートがロールＲ１またはＲ２に巻き取られる。この送り戻し（バックフィード）によって、以下の裏面プリントシーケンスで再び供給されるシートとの衝突が避けられる。
【００５２】
上述の表面プリントシーケンスの後に、裏面プリントシーケンスに切り替わる。反転部９の巻取回転体が巻き取り時とは逆方向（図面では時計回り方向）に回転する。巻き取られたシートの端部（巻き取り時のシート後端は、送り出し時にはシート先端になる）は、図の破線の経路に沿ってデカール部２に送り込まれる。
【００５３】
デカール部２では巻取回転体で付与されたカールの矯正がなされる。つまり、デカール部２は第１経路においてシート供給部１とプリント部４の間、ならびに第２経路において反転部９とプリント部４の間に設けられて、いずれの経路においてもデカールの働きをする共通のユニットとなっている。シートの表裏が反転したシートは、斜行矯正部３を経て、プリント部４に送られて、シートの裏面にプリントが行なわれる。
【００５４】
プリントされたシートは検査部５を経て、カッタ部６において予め設定されている所定の単位長さ毎に切断される。カットシートは両面にプリントされているので、情報プリント部７でのプリントはなされない。カットシートは１枚ずつ乾燥部８に搬送され、排出搬送部１０を経由して、ソータ部１１の排出部１２に順次排出され積載されていく。このように、両面プリントにおいてシートは第１経路、第２経路、第１経路、第３経路の順に通過して処理される。
【００５５】
本実施形態におけるプリント装置２０のプリントによって完成したプリント物は、２つに分類することができる。すなわち、ホスト装置１６から供給された画像データに基づくプリントデータによってプリントされた画像プリント物、および画像のプリント品質の維持などのために必要な補助プリント物である。さらに、補助プリント物は、そのプリント結果を読み取ることを目的とする読取プリント物、およびプリント結果を読み取ることを目的としない廃棄プリント物、の２つに分類することができる。
【００５６】
画像プリント物としては、例えば、写真、はがき、ポスター、フォトアルバムの各ページなどがある。読取プリント物としては、例えば、検査部５のスキャナで読み取られる、吐出口のインクの付与状態（不吐出状態を含む）を監視するための監視パターン、又は、カッタ部６のカットパターンセンサ２２で読取られるカットパターンがプリントされたシート等がある。廃棄プリント物としては、例えば、プリントヘッドのメンテナンスのために用いられる予備吐出パターンがプリントされたシートなどがある。
【００５７】
本実施形態においては、特異部がある領域に補助プリント物をプリントできる場合には、プリントする。
【００５８】
次に、特異部について説明する。図３（ａ）〜（ｇ）は本実施形態のシート３０における特異部の種類を説明するための図であり、同図（ａ）〜（ｄ）はシート３０の全体図であり、同図（ｅ）〜（ｇ）は特異部および特異部マークを拡大した拡大図である。図３（ｂ）〜（ｇ）に示すように、本実施形態における特異部は、他の領域と特性の異なる程度によって、軽特異部（第２状態）、中特異部（第１状態）、重特異部（第３状態）の３つのクラス（レベル）に分類されている。
【００５９】
軽特異部は中特異部に比べて、シートにおける特性の異なる程度が低い。すなわち、軽特異部は中特異部に比べて、プリントに与える影響が小さい。また、重特異部は中特異部に比べて、シートにおける特性の異なる程度が高い。すなわち、重特異部は中特異部に比べて、プリントに与える影響が大きい。この特異部の具体的な分類は後述する。
【００６０】
図３（ａ）〜（ｄ）に示すように、本実施形態のシート３０は、この３つのレベルの特異部と特異部がない部分との４つの領域のうち、少なくとも１つの領域を有する。本実施形態においては、説明の便宜のために、特異部のないシート、および３つの特異部がそれぞれあるシートを、別々に示している。
【００６１】
また、同図（ｂ）〜（ｇ）に示すように、本実施形態においては、シート３０の片面に特異部の位置、および特異部の特性の程度を示す情報がコード化された、特異部マーク３１、３３、３５が夫々記録されている。本実施形態においては、シートにおける特異部に隣接する領域に、特異部の特性の異なる程度が判別可能なように、特異部マークが記録されている例について説明する。しかしながら、特異部に関する情報（特異部の位置および特異部の特性の異なる程度）の記録方法はこれに限定されない。例えば、シートの先頭部に特異部に関する情報がまとめて記録されていてもよい。
【００６２】
また、連続シート自体でなくシートが梱包されるパッケージに情報がまとめて記録され、ユーザがホスト装置に入力する形態であってもよい。更に、情報がまとめて記録されたメモリカードのような記録媒体をシートに付属させてユーザがホスト装置に入力する形態であってもよい。ホスト装置に入力された情報を読み出すことで情報が取得される。
【００６３】
図３（ｂ）〜（ｇ）に示すように、本実施形態においては、特異部よりも先にセンサ１７を通過するように、特異部よりも搬送方向下流側に、特異部マークは印されている。この特異部マークは、搬送方向と直交する方向に沿っており、夫々に対して平行な２本の線により構成されている。詳細な構成は、特異部の３つのレベルごとに異なるので、後述する。
【００６４】
また、特異部および特異部マークを含む一定の領域、すなわち、特異部マーク前後の一定の範囲は、画像データに基づくプリントデータのプリントには適さない領域である。本実施形態においてはこの領域のうち、補助プリント物のためのプリントにも使用することができない領域を、「プリント不可領域」という。本実施形態においては、プリント不可領域３７の搬送方向における長さを、特異部マークの前後１５ｃｍずつとする。シート３０における特異部を全て検知するためには、プリント不可領域３７以下の大きさの領域ごとに、センサ１７にて特異部マークを検知することが望ましい。
【００６５】
図３（ａ）はシート３０における特異部がない領域を示している。このシート３０の領域には特異部がないため、特異部マークが記録されていない。図３（ｂ）〜（ｄ）はシート３０における特異部がある領域をそれぞれ示している。そのため、図３（ｂ）〜（ｄ）に示すシート３０、およびこれらの図の拡大図である同図（ｅ）〜（ｇ）に示すシート３０には、特異部マークが夫々記録されている。
【００６６】
図３（ｂ）はシート３０における軽特異部３２がある領域を示している。また、図３（ｅ）は図３（ｂ）に示すシート３０を拡大した拡大図である。本実施形態において軽特異部３２はその濃度が比較的薄い特異部である。本実施形態においては、特異部を読み取った際に、ＲＧＢ色空間において（２００：２００：２００）より薄い汚れを軽特異部３２とする。この軽特異部３２は、その濃度が比較的薄いため読取プリント物のためのプリントには使用できる。
【００６７】
また、図３（ｂ）および（ｅ）にはシート３０に軽特異部３２が存在することを示す軽特異部マーク３１が記録されている。軽特異部マーク３１は、搬送方向下流側に位置する実線３１ａ、および上流側に位置する一点短鎖線３１ｂによって構成されている。
【００６８】
図３（ｃ）はシート３０における中特異部３４がある領域を示している。また、図３（ｆ）は図３（ｃ）に示すシート３０を拡大した拡大図である。本実施形態において中特異部３４はその濃度が軽特異部３２よりも濃い特異部である。この中特異部３４は、その濃度が濃いので、この部分にセンサにて読み取ることを目的とするパターンをプリントしても適切に読み取ることができない虞がある。しかし、中特異部３４はインクを吸収することはできるため、センサにて読み取ることを目的としない廃棄プリント物のためのプリントには使用できる。
【００６９】
また、図３（ｃ）および（ｆ）には、シート３０に中特異部３４が存在することを示す中特異部マーク３３が記録されている。中特異部マーク３３は、搬送方向下流側の実線３３ａ、および上流側の二点短鎖線３３ｂによって構成されている。
【００７０】
図３（ｄ）はシート３０における重特異部３６がある領域を示している。また、図３（ｇ）は図３（ｄ）に示すシート３０を拡大した拡大図である。本実施形態において重特異部３６は、インクを適切に吸収できない特異部である。したがって、重特異部３６は一切のプリントを避けることが望ましい。重特異部３６としては、例えば、穴、破れ、およびスプライス部などがある。
【００７１】
なお、本実施形態においては、シート同士をテープによって接合しており、接合部分（スプライス部）においてテープが露出しているシートを用いている例を説明する。したがって、本実施形態において、スプライス部にはテープが露出しているために、スプライス部はインクを適切に吸収することができない。そのため、本実施形態において、スプライス部は重特異部として分類される。
【００７２】
しかしながら、シート同士の接合方法は、シートとシートとの間に糊を塗布して接合する方法、シートとシートとの間にテープを貼って接合する方法、などのほか様々な方法がある。よって、シート同士の接合方法によっては、スプライス部は他の特異部（軽特異部または中特異部）に分類されることもある。その場合には、スプライス部を適宜使用することもできる。
【００７３】
また、図３（ｄ）および（ｇ）には、シート３０に重特異部３６が存在することを示す重特異部マーク３５が記録されている。重特異部マーク３５は、搬送方向下流側の実線３５ａ、および上流側の三点短鎖線３５ｂによって構成されている。
【００７４】
各特異部マークの構成は上記構成に限定されず、特異部の位置を示すものであり、且つ特異部の特性の異なる程度を判別できるものであればよい。特異部マークは、例えば、バーコードや二次元コードであってもよい。
【００７５】
図４はプリント動作を示すフローチャートである。同図に示すように、ユーザの操作によってプリント開始の指示が与えられると、制御部１３が、プリント指令に基づいてプリントスケジュールを作成する（Ｓ１０１）。プリントスケジュールとは、シートにプリントされる通常の画像、プリントヘッド保守（予備吐出）のための予備吐出パターン、プリントヘッド保守（不吐出監視）のための監視パターン、およびカットパターンなどを、プリントする順番を示すデータである。本実施形態においてプリントスケジュールは、画像、監視パターン、予備吐出パターン、余白領域という順番に作成されている。
【００７６】
再度、図４を参照する。同図に示すように、プリントスケジュールが作成されると（Ｓ１０１）、このプリントスケジュールに従ってプリントが開始される（Ｓ１０２）。その後、制御部１３はプリントスケジュールに従ったプリントが完了したか否かを判断する（Ｓ１０３）。プリントが完了している場合（Ｓ１０３にてＹＥＳの場合）、一連の処理を終了する。他方、プリントが完了していない場合（Ｓ１０３にてＮＯの場合）、制御部１３は、プリント中にセンサ１７にて特異部マークを検知したか否かを判断する（Ｓ１０４）。
【００７７】
特異部マークを検知していない場合（Ｓ１０４にてＮＯの場合）、制御部１３はプリントスケジュールを維持して（Ｓ１０６）、再度Ｓ１０２の処理に戻り、プリントを開始する。特異部マークを検知した場合（Ｓ１０４にてＹＥＳの場合）、制御部１３は特異部のレベルを判定する（Ｓ１０５）。詳細には制御部１３は、その特異部が軽特異部であるか否かを判定する（Ｓ１０５）。
【００７８】
特異部が軽特異部である場合（Ｓ１０５にてＹＥＳの場合）、制御部１３は軽特異部のプリントスケジュールの更新条件を設定する（Ｓ１０７）。この軽特異部のプリントスケジュールは、軽特異部に画像以外のプリントができるように設定される。
【００７９】
特異部が軽特異部でない場合（Ｓ１０５にてＮＯの場合）、制御部１３は特異部が中特異部であるか否かを判断する（Ｓ１０９）。特異部が中特異部である場合（Ｓ１０９にてＹＥＳの場合）、制御部１３は中特異部のプリントスケジュールの更新条件を設定する（Ｓ１１０）。この中特異部のプリントスケジュールは、中特異部に廃棄プリントのみができるように設定される。
【００８０】
特異部が中特異部でない場合（Ｓ１０９にてＮＯの場合）、制御部１３は、特異部が重特異部であると判断し、重特異部のプリントスケジュールの更新条件を設定する（Ｓ１１１）。この重特異部のプリントスケジュールは、重特異部に一切のプリントができないように設定される。
【００８１】
これらの更新条件が設定された（Ｓ１０７、Ｓ１１０、Ｓ１１１）後、この設定された更新条件に従って、プリントスケジュールを更新する（Ｓ１０８）。このプリントスケジュールの更新処理においては、検出した特異部の程度に応じて、プリントスケジュールを更新する。そして、再度Ｓ１０２に戻り、更新されたプリントスケジュールに従ってプリントを開始する。その後に、プリントが完了すれば（Ｓ１０３にてＹＥＳの場合）、一連の処理を終了する。プリントが完了していなければ（Ｓ１０３にてＮＯの場合）、上記処理を繰り返す。
【００８２】
このように、特異部があるシート３０をプリントする際、制御部１３は更新された新たなプリントスケジュールに従ってプリントを制御する。
【００８３】
図５（ａ）〜（ｄ）はプリントスケジュールに従ってプリントされたシートを示す図である。更新前のプリントスケジュールは、画像、監視パターン、および予備吐出パターンが夫々カットパターンに挟まれてプリントされた後、余白となるスケジュールである。
【００８４】
同図（ａ）は特異部がないため更新されていないプリントスケジュールに従ってプリントされたシートを示しており、同図（ｂ）〜（ｄ）は特異部があるため更新されたプリントスケジュールに従ってプリントされたシートを示している。また、同図（ｂ）〜（ｄ）においては、シート３０に特性の異なる程度が同じ特異部が３箇所ある例をそれぞれ示している。
【００８５】
図５（ａ）は特異部マークが検知されなかった場合のプリントスケジュールに従ってプリントされたシート３０を示している。図４（Ｓ１０３にてＹＥＳの場合）に示すように、特異部がない場合には、プリントスケジュールどおりにプリントできるため、プリントスケジュールは更新されずに、維持される。そのため、図５（ａ）に示すように、シート３０には、画像５１、監視パターン５２、および予備吐出パターン５３が夫々カットパターンに挟まれて連続してプリントされる。そして、予備吐出パターン５３プリント後のカットパターンの後は余白となっている。
【００８６】
シート３０に特異部がある場合は、いずれの特異部においても画像５１をプリントすることができない。そのため、画像５１をプリントする位置に特異部がある場合には、この部分をプリント不可領域３７とする。したがって、図５（ｂ）〜（ｄ）に示すようにプリントスケジュールの先頭である画像５１をプリントする位置に特異部がある場合、画像５１はプリント不可領域３７が搬送された後にプリントされる。
【００８７】
図５（ｂ）は軽特異部マーク３１が検知された場合に、更新されたプリントスケジュールに従ってプリントされたシート３０を示している（図４に示すＳ１０５にてＹＥＳの場合）。上述のように、軽特異部３２は画像以外のプリントはできる領域である。そのため、軽特異部３２には画像５１をプリントしないようにプリントスケジュールが更新される。その結果、図５（ｂ）に示すように、軽特異部３２には監視パターン５２および予備吐出パターン５３がプリントされている。
【００８８】
同図（ｂ）に示すように、プリント不可領域３７搬送後、カットパターン、画像５１、カットパターン、余白、カットパターン、監視パターン５２、カットパターン、予備吐出パターン５３、カットパターン、余白というスケジュールでシート３０はプリントされる。
【００８９】
軽特異部３２がある領域に、監視パターン等のようにセンサにて読み取り解析することを目的としているパターンをプリントしても、軽特異部３２の濃度は比較的薄いため、パターンの読み取りの際に軽特異部３２がさほど読み取りの妨げにならない。したがって、本実施形態においては、軽特異部３２には画像以外をプリントする。
【００９０】
図５（ｃ）は中特異部マーク３３が検知された場合に更新されたプリントスケジュールに従ってプリントされたシート３０を示している（図４に示すＳ１０９にてＹＥＳの場合）。上述のように、中特異部３４は廃棄プリントのみができる領域である。そのため、中特異部３４には画像５１および監視パターン５２をプリントしないように、プリントスケジュールが更新される。その結果、図５（ｃ）に示すように、中特異部３４には予備吐出パターン５３のみがプリントされている。
【００９１】
同図（ｃ）に示すように、プリント不可領域３７が搬送された後、カットパターン、画像５１、カットパターンというスケジュールにてシート３０はプリントされる。そして、プリント不可領域３７が搬送された後、カットパターン、監視パターン５２、カットパターン、予備吐出パターン５３、カットパターン、余白というスケジュールにてシート３０はプリントされる。
【００９２】
上述のように、中特異部３４は軽特異部３２よりも、その濃度が濃い領域である。そのため、読み取りを目的とするパターンを中特異部３４にプリントしてもパターンを適切に読み取り解析することができない虞があるので、中特異部３４は画像プリント物のみでなく、読取プリント物のためのプリントにも適していない。しかし、中特異部３４には穴や破れなどはないため、インクを吸収することはできる。したがって、中特異部３４にはセンサにて読み取ることがない廃棄プリントのみをする。
【００９３】
図５（ｄ）は重特異部マーク３５が検知された場合に更新されたプリントスケジュールに従ってプリントされたシート３０を示している（図４に示すＳ１０９にてＮＯの場合）。上述のように、重特異部３６は一切のプリントに適さない領域である。そのため、重特異部３６には何もプリントされないようにプリントスケジュールが更新される。その結果、図５（ｄ）に示すように、重特異部マーク３５および重特異部３６を含むプリント不可領域３７には画像プリント物のためのプリントのみでなく、補助プリント物のためのプリントもされていない。
【００９４】
同図（ｄ）に示すように、プリント不可領域３７が搬送された後、カットパターン、画像５１、カットパターンというスケジュールにてプリントされる。そして、プリント不可領域３７搬送後、カットパターン、監視パターン５２、カットパターンというスケジュールでプリントされ、プリント不可領域３７搬送後、カットパターン、予備吐出パターン５３、カットパターン、余白というスケジュールでプリントされる。
【００９５】
このように、本実施形態においては、シートにおける特異部の特性の異なる程度に応じて、特異部の用途を決定する。すなわち、特異部がある場合においてもその特性の程度に応じて、特異部が何らかの用途に利用できるものであれば、この特異部を利用するようにプリントスケジュールを更新する。これにより、シートに特異部があったとしても、特異部の状態に応じた最適な活用方法によって、特異部を活用することにより、シートを有効に利用することができる。したがって、本実施形態においては、シートの無駄な廃棄を抑制し、全体としてのシートの消費量を抑制することができる。
【００９６】
なお、本実施形態においては、監視パターン、およびカットパターンを夫々プリント装置２０内にある検査部５のスキャナ、およびカッタ部６のカットパターンセンサ２２によって読み取る方法について説明した。しかし、本発明において、これらのパターンを読み取る方法は、プリント装置２０内にあるスキャナ等に限られず、外部装置による読み取りや作業者の目視により確認してもよい。
【００９７】
監視パターンを外部装置や作業者の目視により読み取った結果、適切にプリントされていないと判断された場合は、操作部１５またはホスト装置１６に対してその旨を通知して、必要に応じて再度プリントされるように制御する。外部装置が通信機能を有していれば、外部装置からプリント装置２０への通信手段により制御してもよい。作業者が操作部１５やホスト装置１６を操作してもよい。さらに、ホスト装置１６とプリント装置２０とを含むプリントシステムも本発明の範囲に属する。
【００９８】
本実施形態において、カットパターンをプリントする位置に特異部があったとしても、その特異部が軽特異部である場合にのみ、その位置にカットパターンがプリントされるので、カットパターンを読み取れない状況にはならない。そのため、外部装置または作業者がカットパターンに従ってシートをカットして、画像を完成させることもできる。
【符号の説明】
【００９９】
４    プリント部
２０  プリント装置
３０  シート
【図１】
2014028441.tif 000003
【図２】
2014028441.tif 000004
【図３】
2014028441.tif 000005
【図４】
2014028441.tif 000006
【図５】
2014028441.tif 000007